(57)【要約】【課題】穀稈を刈り取り作業中に、前部右外側の分草体を容易に左右両側へ回動移動するようにしようとするものである。【解決手段】走行車台２前方部に立毛穀稈を刈り取って後方上部に移送する刈取装置４を設け、該刈取装置４前部に植立穀稈を分草する複数の分草体９、１０を設け、該分草体９、１０のうち少なくとも右側端部に位置する分草体９は、前記走行車台２上に載置した操縦席１８近傍部に設けたレバー２０によって左右方向に位置変更可能に設けたコンバインにおいて、前記分草体９先端部であって分草ガイド９ａ側から引起装置１１の引起ケースカバー１１ｂ前側にわたって分草ガイド９ｄを設けるにあたり、該分草ガイド９ｄを２分割して設けたことを特徴とするコンバインの構成とする。【選択図】図１
2008000068.tif 000002
【特許請求の範囲】
【請求項１】
走行車台（２）前方部に立毛穀稈を刈り取って後方上部に移送する刈取装置（４）を設け、該刈取装置（４）前部に植立穀稈を分草する複数の分草体（９）、（１０）を設け、該分草体（９）、（１０）のうち少なくとも右側端部に位置する分草体（９）は、前記走行車台（２）上に載置した操縦席（１８）近傍部に設けたレバー（２０）によって左右方向に位置変更可能に設けたコンバインにおいて、前記分草体（９）先端部であって分草ガイド（９ａ）側から引起装置（１１）の引起ケースカバー（１１ｂ）前側にわたって分草ガイド（９ｄ）を設けるにあたり、該分草ガイド（９ｄ）を２分割して設けたことを特徴とするコンバイン。
【請求項２】
前記２分割した分草ガイド（９ｄ）のうち、固定側の後分草ガイド（９ｅ）は、引起装置（１１）の引起ケースカバー（１１ｂ）に固定して設けたことを特徴とする請求項１に記載のコンバイン。
【請求項３】
前記２分割した分草ガイド（９ｄ）のうち、回動側の前分草ガイド（９ｆ）は、分草体（９）の分草ガイド板（９ａ）を装着する取付板（９ｃ）の後方部に設けたことを特徴とする請求項１又は請求項２に記載のコンバイン。
【発明の詳細な説明】
【技術分野】
【０００１】
圃場内に植立する穀稈を刈り取って脱穀選別するコンバインに関する。
【背景技術】
【０００２】
コンバインでの立毛穀稈の刈取収穫作業は、このコンバインの走行車台の前部へ設けている刈取装置で穀稈は刈取りされて後方上部へ移送され、刈取り後の穀稈は脱穀して選別される。
【０００３】
圃場内で立毛穀稈を刈り取る刈取装置は、走行フレームの前方に設けている。この刈取装置の先端部へ分草具が複数配置され、この複数の分草具のうち、少なくともコンバインの進行方向の右側の分草具が上下方向又は左右方向に回動するか、又は、上下左右方向に可動式に設けられている。分草具には穀稈を分草する分草ガイドが設けられている。これにより、穀稈の植付けの条間巾又は倒伏状態により、手動で分草具の分草ガイドを調節する。この調節は、刈取り作業開始時、又は、刈取り作業中に条間巾又は倒伏状態が大きく変わったときには、収穫作業を一時停止して分草具の分草ガイドの取付け位置へ行って最適位置へ再調節する。（特許文献１参照）。
【特許文献１】特開２００２−１７６８２６号公報
【発明の開示】
【発明が解決しようとする課題】
【０００４】
分草具の分草ガイドの調節は、収穫作業中であると機械を一度停止させて調節しなければならないので、調節がめんどうである。又、調節に時間を要すると共に調節が困難である。更に、植付け状態が悪く条間巾が常に変わるときは、未刈取り穀稈を踏みつけることがあった。又、調節が悪いと分草ガイドの先端部が圃場へ突っ込むことがあるが、この発明により、これらの問題点を解決しようとするものである。
【課題を解決するための手段】
【０００５】
上述のような課題を解決するために、この発明は、次のような技術手段を講じる。
このために、請求項１に記載の発明においては、走行車台（２）前方部に立毛穀稈を刈り取って後方上部に移送する刈取装置（４）を設け、該刈取装置（４）前部に植立穀稈を分草する複数の分草体（９）、（１０）を設け、該分草体（９）、（１０）のうち少なくとも右側端部に位置する分草体（９）は、前記走行車台（２）上に載置した操縦席（１８）近傍部に設けたレバー（２０）によって左右方向に位置変更可能に設けたコンバインにおいて、前記分草体（９）先端部であって分草ガイド（９ａ）側から引起装置（１１）の引起ケースカバー（１１ｂ）前側にわたって分草ガイド（９ｄ）を設けるにあたり、該分草ガイド（９ｄ）を２分割して設けたことを特徴とするコンバインとしたものである。
【０００６】
コンバインでの立毛穀稈の刈取収穫作業は、コンバインの走行車台（２）の前方部へ設けた刈取装置（４）で穀稈は刈り取りされて後方上部へ移送され、その後、脱穀装置で脱穀選別される。
【０００７】
圃場内で立毛穀稈を刈り取る刈取装置（４）は、走行車台（２）の前方部に設けている。走行車台（２）の上側には、運転作業者が着座して運転操作する操縦席（１８）を設け、この操縦部（１８）近傍部には、遠隔操作用のレバー（２０）を設けている。又、刈取装置（４）前部には、植立穀稈を分草する複数の分草体（９），（１０）を設けている。この複数の分草体（９），（１０）のうち、右側端部の分草体（９）は、左右方向の位置が変更可能であり、この左右方向の位置変更はレバー（２０）の操作で行なう。レバー（２０）の操作により、この右側端部の分草体（９）は、左右方向に回動移動する。この左右方向への回動によって、穀稈を刈り取る最適位置へ操作する。
【０００８】
又、前記分草体（９）先端部の分草ガイド板（９ａ）と穀稈を引起しする右端側の引起装置（１１）の前側の引起ケースカバー（１１ｂ）とにわたって設けている分草ガイド（９ｄ）を２分割して設け、右端側の分草体（９）で分草した穀稈を２分割している分草ガイド（９ｄ）で右端側の引起装置（１１）に穀稈を案内する。
【０００９】
請求項２に記載の発明においては、前記２分割した分草ガイド（９ｄ）のうち、固定側の後分草ガイド（９ｅ）は、引起装置（１１）の引起ケースカバー（１１ｂ）に固定して設けたことを特徴とする請求項１に記載のコンバインとしたものである。
【００１０】
前記分草ガイド（９ｄ）を２分割して設ける。この２分割した分草ガイド（９ｄ）のうち、固定側の後分草ガイド（９ｅ）は、右端側の引起装置（１１）の前側の引起ケースカバー（１１ｂ）に固定して設けている。
【００１１】
請求項３の記載の発明においては、前記２分割した分草ガイド（９ｄ）のうち、回動側の前分草ガイド（９ｆ）は、分草体（９）の分草ガイド板（９ａ）を装着する取付板（９ｃ）の後方部に設けたことを特徴とする請求項１又は請求項２に記載のコンバインとしたものである。
【００１２】
前記分草ガイド（９ｄ）を２分割して設ける。この２分割した分草ガイド（９ｄ）のうち、回動側の前分草ガイド（９ｆ）は、分草体（９）の分草ガイド板（９ａ）を装着する取付板（９ｃ）後方部に設けている。このため、この分草体（９）は回動移動操作できる。そして、穀稈は前・後分草ガイド（９ｆ）、（９ｅ）によって引起装置（１１）に案内される。
【発明の効果】
【００１３】
請求項１に記載の発明においては、分草体（９）を左右方向へ回動移動操作しても、引起ケースカバー（１１ｂ）に分草ガイド（９ｄ）が当接することを防止できる。又、この２分割した分草ガイド（９ｄ）により、穀稈はスムーズに引起装置（１１）へと案内される。
【００１４】
請求項２に記載の発明においては、固定側の後分草ガイド（９ｅ）は、右端側の引起装置（１１）の前側の引起ケースカバー（１１ｂ）に固定して設けたことにより、分草体（９）が左右方向に回動移動操作されても、後分草ガイド（９ｅ）で穀稈が引き継ぎされる。又、穀稈の略垂直姿勢を維持した状態で移送することができる。
【００１５】
請求項３に記載の発明においては、回動側の前分草ガイド（９ｆ）は、分草体（９）の分草ガイド板（９ａ）を装着する取付板（９ｃ）後方部に装着して設けたことにより、分草体（９）の左右方向への回動移動操作が容易に可能となり、これら前・後分草ガイド（９ｆ）、（９ｅ）により、穀稈はスムーズに引継ぎ搬送される。そして、穀稈を略垂直姿勢状態で移送できる。
【発明を実施するための最良の形態】
【００１６】
以下、本発明の一実施例を図面に基づいて説明する。
コンバイン１の走行車台２の前方部には、穀稈を刈取り後方上部へ移送する刈取装置４を設け、又、走行車台２の上側の一方側には、刈取装置４から刈取り穀稈を引継ぎ脱穀する脱穀装置５と、この脱穀装置５の横側には、脱穀済み穀粒の供給を受けて一時貯留する穀粒貯留タンク７とを載置している。前記刈取装置４の前端右側には、リモコン用のレバー２０を操作して、穀稈を引起し、及び分離してかき上げ状態にする、右外側のリモコン用の分草体９と、これ以外の箇所に複数個の各分草体１０とよりなる分草装置を設け、左右両側の分草体１０と、リモコン用の分草体９との外側には、穀稈を引起し、及び分離してかき上げ状態にする左右両側にナローガイド８ｂ，８ａを回動自在に設けている。前記分草装置のリモコン用の分草体９と、右側のナローガイド８ａ等とを主に図示して説明する。
【００１７】
前記コンバイン１の走行車台２の下側には、図１で示すように、土壌面を走行する左右一対の走行クローラ３ａを張設した走行装置３を配設し、走行車台２の上側面に脱穀装置５を載置している。走行車台２の前方部の刈取装置４で立毛穀稈を刈取りして、後方上部へ移送し、脱穀装置５のフィードチェン６ａと、挟持杆６ｂとで引継いで挟持移送しながら脱穀する。脱穀済みで選別済みの穀粒は、脱穀装置５の右横側へ配設した穀粒貯留タンク７内へ供給され、一時貯留される。
【００１８】
前記走行車台２の前方部には、図１〜６で示すように、刈取装置４の立毛穀稈を引起し、及び分離してかき上げされた状態にする右側のナローガイド８ａと、左側のナローガイド８ｂ、及び右側のリモコン用の分草体９と、それ以外箇所の複数の各分草体１０とで立毛穀稈を引起し、及び分離してかき上げされた状態にする。又、立毛穀稈を引起す複数個の引起装置１１と、引起された穀稈を掻込みする穀稈掻込移送装置１２の各掻込装置１２ａと、掻込された穀稈を刈取る刈刃装置１３と、刈取りされた穀稈を挟持移送して、脱穀装置５のフィードチェン６ａと挟持杆６ｂとへ受渡しする穀稈掻込移送装置１２の根元・穂先移送装置１４ａ・１４ｂ等とからなる刈取装置４を設けている。該刈取装置４は、油圧駆動による伸縮シリンダ１５により、土壌面に対して、昇降する。右側のナローガイド８ａと、右側のリモコン用の分草体９との詳細は後述する。
【００１９】
前記刈取装置４の前方下部から後方上部へ傾斜する支持杆１６ａの上端部に設ける支持パイプ杆１６ｂを走行車台２の上側面に設けた支持装置１６ｃで回動自在に支持させている。伸縮シリンダ１５を作動させると支持杆１６ａと共に、刈取装置４が上下回動する。
【００２０】
前記刈取装置４の穀稈掻込移送装置１２によって形成される穀稈移送経路中には、刈取られて移送する穀稈に接触作用することにより、脱穀装置５への穀稈の供給の有無を検出する穀稈センサ４ａを設けている。
【００２１】
前記穀粒貯留タンク７側の前部には、図２〜図６で示すように、コンバイン１を始動、停止、及び各部を調節等の操作を行う操作装置１７と、操縦席１８とを設け、この操縦席１８の下側にエンジン１９を載置している。この操縦席１８の近傍部には、リモートコントロール操作するリモコン用のレバー２０を操作ボックス２０ａへ回動自在に設け、このリモコン用のレバー２０と、右外側のリモコン用の分草体９とは、ワイヤ２０ｂと、スプリング２０ｃとで接続して、このリモコン用のレバー２０の回動操作により、リモコン用の分草体９を左右方向へ回動移動させる。
【００２２】
前記走行車台２の前端部に装架した、図６で示すように、走行用のミッションケース２１内の伝動機構２１ａの伝動経路中には、その出力に基づいて、走行車速を検出するポテンションメータ方式の車速センサ２１ｂを設けている。
【００２３】
前記穀粒貯留タンク７内へ貯留した穀粒を機外へ排出するこの穀粒貯留タンク７の後側には、図６で示すように、縦移送螺旋２２ａを内装した縦移送筒２２を略垂直姿勢で旋回自在に装着して設け、この縦移送筒２２の上端部には、その全長がコンバイン１の前後長に亘る機外へ穀粒を排出する排出螺旋２３ａを伸縮自在に内装した排出オーガ２３を伸縮自在、上下回動自在、及び左右旋回自在に前後方向に配設している。
【００２４】
前記刈取装置４に設け、刈取る穀稈を引起し、及び分離してかき上げ状態にする。この刈取装置４の右側前部のリモコン用の分草体９は、図１〜図６で示すように、操縦席１８の近傍部へ設けた、リモートコントロール操作する、操作ボックス２０ａへ設けたリモコン用のレバー２０の回動操作により、ワイヤ２０ｂ、及びスプリング２０ｃを介して、この分草体９が穀稈を引起し、及び分離するのに最適位置へ回動移動操作して、刈取り収穫作業をする。２１ｄは戻し用のスプリングである。
【００２５】
右側端部側のリモコン用の前記分草体９は、図１、及び図２で示すように、分草パイプ９ｂの前端部に取付板９ｃを設け、この取付板９ｃには、正面視略三角形状で、側面視円形状に形成した分草ガイド板９ａを装着している。リモコン用のレバー２０の回動操作により、リモコン用のこれら各部品よりなる分草体９は、左右両側の任意位置に、分草パイプ９ｂの後端部で、回動移動操作可能に設けている。
【００２６】
リモコン用の前記分草体９の分草ガイド板９ａ側から、右側外端部に位置させて設けた、引起装置１１の引起ケース１１ａの前側へ設けた引起ケースカバー１１ｂ前側に亘って、棒形材、又は板材等よりなる分草ガイド９ｄを２分割して設けている。
【００２７】
穀稈を刈り取り後方上部へ移送する前記刈取装置４の前方部に設けて、穀稈を分草する右側端部に設けたリモコン用の分草体９は、操縦席１８近傍部に装着する、操作ボックス２０ａへ設けた、リモコン用のレバー２０の回動操作により、左右方向へ位置変更可能に設けると共に、該分草体９の先端部の分草ガイド板９ａ側から引起装置１１の引起ケースカバー１１ｂ前側に亘って、分草ガイド９ｄを２分割して設けたことにより、該分草体９を左側（内側）へ回動移動操作しても、該引起ケースカバー１１ｂに該分草ガイド９ｄが当接することを防止できる。又、この２分割した分草ガイド９ｄにより、穀稈はスムーズに引起装置１１へと案内される。
【００２８】
穀稈を分草するリモコン用の前記分草体９に設けた、分草ガイド９ｄを２分割した固定側の後分草ガイド９ｅは、図７、及び図８で示すように、引起装置１１の引起ケース１１ａの前側に設けた、引起ケースカバー１１ｂに固定して設けている。
【００２９】
前記分草ガイド９ｄを２分割し、固定側の後分草ガイド９ｅは、引起装置１１の引起ケース１１ａの前側の引起ケースカバー１１ｂに固定して設けたことにより、リモコン用の分草体９が開状態、又は閉状態に操作されても、この後分草ガイド９ｅで確実に穀稈が引継ぎされる。又、穀稈を略垂直姿勢状態で移送することができる。
【００３０】
前記分草ガイド９ｄを２分割し、回動側の前分草ガイド９ｆは、図９、及び図１０で示すように、リモコン用の分草体９の分草ガイド板９ａを装着する取付板９ｃ後方部に装着して設けたことにより、これら前・後分草ガイド９ｆ、９ｅにより、穀稈は右端部側へ設けた引起装置１１に確実に引継ぎされる。又、穀稈を略垂直姿勢状態で移送できる。更に、スムーズな移送ができる。
【００３１】
右側端部の前記分草体９以外の分草体１０は、左右両側方向に回動移動しない、固定方式である。
前記リモコン用の分草体９の分草ガイド板９ａを装着する分草パイプ９ｂの先端部は、図１及び図２で示すように、右外側へ向けて所定角度で傾斜する折曲部（イ）を設けている。この分草体９を左右方向へ回動移動させた時には、この分草体９の分草ガイド板９ａの先端部（ロ）位置は、左右略同じ位置へ位置するように設けている。
【００３２】
前記リモコン用の分草体９の分草ガイド板９ａを装着する分草パイプ９ｂの先端部には、折曲部（イ）を設けて、この分草体９を左右へ移動させた時は、この分草体９の分草ガイド板９ａの先端部（ロ）位置は、左右略同じ位置へ位置するように設けたことにより、この分草体９の長さ方向の変化を防止することができる。これにより、穀稈の分草性能の低下を防止できる。
【００３３】
前記リモコン用の分草体９の分草ガイド板９ａには、図１、及び図２で示すように、刈取る穀稈を引起し、及び分離してかき上げ状態にする。右側のナローガイド８ａの先端部を装着して設け、このナローガイド８ａの先端部が、該分草体９と連動すべく設けると共に、このナローガイド８ａの回動支点（ハ）を、この分草体９の回動支点（ニ）より、後方部でこの分草体９を、回動自在に支持する支持フレーム９ｈへ外側へ突出させて、回動自在に設けた、支持具９ｊへナローガイド８ａの後端部を挿入して、支持ピン９ｍで装着して設け、この分草体９の回動移動にナローガイド８ａを追従させる。
【００３４】
前記リモコン用の分草体９の分草ガイド板９ａには、穀稈を引起し、及び分離してかき上げ状態にする右側のナローガイド８ａの先端部を設け、この分草体９と連動させ、このナローガイド８ａの回動支点（ハ）を、この分草体９の回動支点（ニ）より、後方部でこの分草体９を、回動自在に支持する支持フレーム９ｈへ回動自在に支持させて設けたことにより、この分草体９の回動移動に、ナローガイド８ａが追従することで、穀稈の分離性能が向上する。又、先端部が変形しても、連動構成が、そこなわれることがない。これにより、ナローガイド８ａの分離性能の低下を防止できる。
【００３５】
前記リモコン用のレバー２０を支持軸２０ｅで回動自在に軸支する、操作ボックス２０ａの形状は、図５、及び図６で示すように、箱形状に形成し、このレバー２０用のガイド溝２４は、天井部２４ａと、傾斜部２４ｂと、垂直部２４ｃとの三面部を連接させて設けている。又、このレバー２０の形状もガイド溝２４と同じように、三箇所で折曲させて設けている。このレバー２０の「入」−「切」をワイヤ２０ｂの支点越によって行う。この構成で支点越近傍部では、このレバー２０を略鉛直に設けている。このレバー２０の軌跡が直線にもかかわらず、操作ボックス２０ａ、及びこのレバー２０に折り曲げ部を設けることで、操作部をコンパクトに形成している。
【００３６】
これにより、前記操作ボックス２０ａに複数面にわたり、レバー２０用のガイド溝２４を設けたことにより、このガイド溝２４の長さを短くでき、この操作ボックス２０ａの前後方向の長さを短くできて、コンパクトになる。又、このレバー２０の「入」−「切」を行うときに、力を加えるところを作業者に認識させやすい。
【００３７】
前記リモコン用のレバー２０に複数の折り曲げを設けた構成において、運転作業者が操縦席１８へ着座したときに、その折り曲げ位置より、両面が作業者から極端に鋭角にならないように形成している。
【００３８】
これにより、前記引起装置１１の上部空間部を有効利用ができる。又、レバー２０の操作荷重を軽減できる。更に、操作が容易である。
前記リモコン用のレバー２０と、ワイヤ２０ｂ等と、これらを装着する操作ボックス２０ａとは、図５〜図６で示すように、一体の部分組立品として、この操作ボックス２０ａの下部の取付孔部を、ナット、及びボルト等により、所定位置へ装着する。
【００３９】
これにより、前記リモコン用のレバー２０と、操作ボックス２０ａとの分解、及び組立が容易である。又、機体の任意の位置へ装着が可能である。
前記リモコン用の分草体９の分草パイプ９ｂの後部と、支持フレーム９ｈの前部との回動支点（ニ）部には、図２で示すように、左右両側へ張り出して設けたプレート９ｎ部の一方側（外側）には、このレバー２０へ接続する。スプリング２０ｃとワイヤ２０ｂとを、支持フレーム９ｈの外側へ設け、又、他方側（内側）には、戻し用のスプリング２０ｄを設け、このスプリング２０ｄは、支持フレーム９ｈの内側へ略平行に設けている。
【００４０】
これにより、前記リモコン用の分草体９を左右両側へ移動操作するときの荷重を略同じにしている。又、切刃装置１３の上側の空間部を有効利用できる。
前記リモコン用の分草体９は、図１、図２で示すように、分草パイプ９ｂの後端部には、コ字形状で左右両側へ突出部を設けたプレート９ｎを設けている。又、支持フレーム９ｈの前端部には、コ字形状の後プレート２５ａ設けている。これらプレート９ｎと、後プレート２５ａとを上下に重合させて、左右方向略中央部へ支持ピン２５ｂを挿入して支持させて、抜け止めを施している。この分草体９が左右両側へ回動自在である。これらプレート９ｎと、後プレート２５ａとの間で支持ピン２５ｂの左右両側には、ボルト２５ｃへＷナット２５ｄを螺合した、この各ボルト２５ｃを設け、この各ボルト２５ｃの先端部は、プレート９ｎの挿入孔へ挿入して設けている。
【００４１】
前記リモコン用の分草体９の左右方向の移動量の調節は、各ボルト２５ｃへ螺合したＷナット２５ｄの位置を調節操作して行う。
これにより、リモコン用の分草体９の作用巾を容易に調節することができる。
【００４２】
図２で示すように、リモコン用の分草体９の支持フレーム９ｈへ設けたワイヤ受板２６ａと、プレート９ｎとの間で、スプリング２０ｃと、ワイヤ２０ｂ等とをカバーする樹脂材、又はゴム材等よりなるジャバラ方式の防塵カバー２６を設けて、防水、及び防塵する。
【００４３】
これにより、前記スプリング２０ｃ、及びワイヤ２０ｂ等の寿命の延長を図っている。
図１１で示すように、前記コンバイン１の左側には、左側用のナローガイド８ｂを設けている。
【００４４】
前記左側のナローガイド８ｂは、前ナローガイド２７ａと、後ナローガイド２７ｂとを回動自在に接続し、後ナローガイド２７ｂの後端部は、機体に対して略直角にＬ字形状に所定距離（Ｌ１）を設けて折曲させ、この折曲部の先端部にリンク２７ｃを設け、このリンク２７ｃを走行車台２へ設けた支持杆２８へ挿入し、前後移動自在に支持させている。後ナローガイド２７ｂへ設けた受板２７ｄと、走行車台２との間には、この後ナローガイド２７ｂを張り出し、及び収縮させる伸縮具２９を設けている。
【００４５】
これにより、左側のナローガイド８ｂの後ナローガイド２７ｂの後端部をＬ字形状に形成すると共に、所定距離（Ｌ１）を設けて折接させたことにより、穀稈を引っ掛けることがなく、又、穂先をしごくことを防止できる。
【００４６】
右外端部側の前記分草体９用の分草ガイド９ｄは、前後に２分割した前・後分草ガイド９ｆ、９ｅは、図１２、及び図１３で示すように、該分草体９を開状態に操作したときは、これら前・後分草ガイド９ｆ、９ｅは、傾斜状態の略直線状態になるように設けている。又、図１２で示すように、これら前・後分草ガイド９ｆ、９ｅの全長（Ｌ２）、（Ｌ３）は略同じ長さに設けている。更に、該後分草ガイド９ｅを前分草ガイド９ｆの下側に設けている。
【００４７】
これにより、前記分草体９は、開方向、又は閉方向いずれの場合においても、該分草体９の先端部から配設された分草ガイド９ｄは、穀稈を引起作用方向に、穀稈を真っ直ぐに運ぶことができ、スムースな移送が可能になる。
【００４８】
右外端部側の前記分草体９用の分草ガイド９ｄは、前後に２分割して設けた前・後分草ガイド９ｆ、９ｅは、図１４〜図１６で示すように、該分草体９を開状態、又は閉状態に関係なく、後分草ガイド９ｅの前先端部は、回動用の前分草ガイド９ｆの後方部の上側へ位置させて設けている。又、該分草体９が開位置のときには、この分草体９の分草ガイド板９ａの内側端部より、分草ガイド９ｄの後分草ガイド９ｅの前端部を所定寸法（Ｌ４）外側に位置させて設けると共に、分草体９が閉位置のときには、この分草体９の分草ガイド板９ａの内側端部と、前分草ガイド９ｆの後端部とは、進行方向に対して略同じ位置へ位置させて設けている。更に、該分草体９が閉位置にあるときには、分草ガイド９ｄの前分草ガイド９ｆの後端部は、引起装置１１の引起ケースカバー１１ｂに最近接する所定寸法（Ｌ５）に設けている。
【００４９】
これにより、前記分草体９が開状態、又は閉状態に関係なく、分草ガイド９ｄの前・後分草ガイド９ｆ、９ｅで穀稈を引掛けることなく、スムーズに案内することができる。
前記分草ガイド９ｄを前・後分草ガイド９ｆ、９ｅに分割して設けた、この後分草ガイド９ｅの前部を所定位置より、図１７で示すように、上方へ折曲して設けている。
【００５０】
これにより、穀稈を刈り取り時に、穀稈の引掛りを防止できる。又、前記分草体９が衝突等のときに、折曲部で変形で吸収ができる。
前記後分草ガイド９ｅは、図１８、及び図１９で示すように、取付板９ｂへ装着している。この取付板９ｐは、引起装置１１の引起ケース１１ａの前側へ設けた引起ケースカバー１１ｂの受板１１ｃに、ボルト、及びナット等により装着している。この後分草ガイド９ｅは、分草体９の分草ガイド板９ａの後側に設けている。この取付板９ｐに設けた後分草ガイド９ｅは、取付部は継手自在に設けている。
【００５１】
又、図２０で示すように、前記分草体９を左右両側へ移動操作するレバー２０は、操作ボックス２０ａへ回動自在に装着すると共に、この操作ボックス２０ａを引起装置１１の引起ケース１１ａの上端部より、このレバー２０が上方へ突出するように、この引起ケース１１ａ後側面に装着している。
【００５２】
これにより、穀稈を刈り取り時に、穀稈の引掛りを防止できる。又、継手自在に設けていることにより、多少の変形においても、効果を持続できる。
図２１、及び図２２で示すように、前記各引起装置１１（図示せず）後側の左右両側には、形状の異なる非対称の各掻込装置１２ａを設け、この各掻込装置１２ａは、掻込ケース１２ｂの下側に掻込ラグ１２ｄを所定間隔に設けた、掻込ベルト１２ｃを回転自在に張設すると共に、移送終端部側には、掻込スターホイル１２ｆを回転自在に軸支して設けている。
【００５３】
左右両側の前記掻込装置１２ａ、１２ａ間の略中間部に設けた支持フレーム９ｈの上側には、一体成形、又は個別成形の左下・右下掻込ガイド３０ａ、３１ａと、左中・右中掻込ガイド３０ｂ、３１ｂと、左上・右上掻込ガイド３０ｃ、３１ｃとを設けている。これら各掻込ガイド３０ａ、３１ａ、３０ｂ、３１ｂ、３０ｃ、３１ｃは、下部により、丸棒材、又はピアノ線材等により、形成する線材径を、径大から径小に順次変更して設けると共に、移送終端側を掻込ベルト１２と略平行に形成して設けている。更に、左右方向の巾は、左下・右下掻込ガイド３０ａ、３１ａで形成する全巾を狭くし、上部の左上・右上掻込ガイド３０ｃ、３１ｃ巾を形成する全巾を、一番広く形成して設けている。移送終端側の挟持巾は、左右略同じ巾にして設けている。
【００５４】
これにより、穀稈の倒れ防止、及び少量穀稈の移送時でも確実に挟持して移送できる。又、各部位により、挟持強さを自由に設定できる。
【図面の簡単な説明】
【００５５】
【図１】刈取装置前部の拡大平面図
【図２】刈取装置前部の拡大側面図
【図３】レバー取付部の拡大正面図
【図４】レバーと、操作ボックスとの拡大正面図
【図５】レバーと、操作ボックスとの拡大側面図
【図６】コンバインの左側全体側面図
【図７】刈取装置前部の拡大平面図
【図８】後分草ガイド取付部の拡大正面図
【図９】刈取装置前部の拡大平面図
【図１０】前分草ガイド取付部拡大図
【図１１】左ナローガイド部の平面図
【図１２】刈取装置前部の拡大平面図
【図１３】分草ガイド部等の拡大平面図
【図１４】刈取装置前部の拡大平面図
【図１５】分草ガイド部等の拡大平面図
【図１６】分草ガイド部等の拡大正面図
【図１７】分草ガイド部等の拡大正面図
【図１８】後分草ガイド部等の拡大側面図
【図１９】後分草ガイド部等の拡大正面図
【図２０】レバーと、分草パイプ等との側面図
【図２１】掻込装置部等の拡大平面図
【図２２】各掻込ガイド等の拡大側面図
【符号の説明】
【００５６】
２    走行車台
４    刈取装置
９    分草体
９ａ  分草ガイド板
９ｃ  取付板
９ｄ  分草ガイド
９ｅ  後分草ガイド
９ｆ  前分草ガイド
１０    分草体
１１    引起装置
１１ｂ  引起ケースカバー
１８    操縦席
２０    レバー
【図１】
2008000068.tif 000003
【図２】
2008000068.tif 000004
【図３】
2008000068.tif 000005
【図４】
2008000068.tif 000006
【図５】
2008000068.tif 000007
【図６】
2008000068.tif 000008
【図７】
2008000068.tif 000009
【図８】
2008000068.tif 000010
【図９】
2008000068.tif 000011
【図１０】
2008000068.tif 000012
【図１１】
2008000068.tif 000013
【図１２】
2008000068.tif 000014
【図１３】
2008000068.tif 000015
【図１４】
2008000068.tif 000016
【図１５】
2008000068.tif 000017
【図１６】
2008000068.tif 000018
【図１７】
2008000068.tif 000019
【図１８】
2008000068.tif 000020
【図１９】
2008000068.tif 000021
【図２０】
2008000068.tif 000022
【図２１】
2008000068.tif 000023
【図２２】
2008000068.tif 000024